(57)【要約】【課題】シンプルな構造の包装装置、及び製品を簡単に取り出すことができる包装物を提供すること。【解決手段】重ね合わされたフィルム２，３の間に製品１を挟んで包装し、製品１を送る製品送り手段４，５と、製品送り手段４で送られる製品１を挟むようにフィルム２，３を供給するフィルム供給手段２０，３０とを備え、重ね合わされたフィルムの内面２ａ，３ａが、所定圧力によって自己付着する自己付着面からなり、フィルム供給手段２０，３０は、自己付着面２ａ，３ａが互いに対向するようにフィルム２，３を供給して製品１の外側で重ね合わせ、さらに、製品１を挟んだフィルム２，３における重ね合わせ部を所定圧力で押圧する押圧手段７を備えている。【選択図】図２
0003157570.tif 000002
【実用新案登録請求の範囲】
【請求項１】
重ね合わされたフィルムの間に製品を挟んで包装するための包装装置であって、
前記製品を送る製品送り手段と、前記製品送り手段で送られる前記製品を挟むように前記フィルムを供給するフィルム供給手段とを備え、
前記重ね合わされたフィルムの内面が、所定圧力によって自己付着する自己付着面からなり、前記フィルム供給手段は、前記自己付着面が互いに対向するように前記フィルムを供給して前記製品の外側で重ね合わせ、
さらに、前記製品を挟んだ前記フィルムにおける前記重ね合わせ部を前記所定圧力で押圧する押圧手段を備えていることを特徴とする包装装置。
【請求項２】
前記押圧手段は、前記製品を挟んだ前記フィルムを連続的に押圧する押圧ローラーからなり、押圧面が弾性部材からなることを特徴とする請求項１に記載の包装装置。
【請求項３】
前記製品送り手段は、前記製品を所定間隔で送り、前記押圧手段は、送られる前記製品の間隔毎に、前記製品を挟んだ前記フィルムを押圧する押圧ピストンからなり、押圧面が前記製品に対応する部分で窪んでいることを特徴とする請求項１に記載の包装装置。
【請求項４】
前記フィルムは、腰のあるプラスチック製シート部材からなり、前記自己付着面が鏡面仕上げしてなることを特徴とする請求項１〜３のいずれかに記載の包装装置。
【請求項５】
重ね合わされたフィルムの間に製品を挟んで包装した包装物であって、
前記重ね合わされたフィルムの内面が、所定圧力によって自己付着する自己付着面からなり、前記自己付着面が互いに対向するように前記製品を挟むと共に、前記製品の外側に形成された重ね合わせ部で自己付着してなることを特徴とする包装物。
【請求項６】
前記フィルムは、腰のあるプラスチック製シート部材からなり、前記自己付着面が鏡面仕上げしてなることを特徴とする請求項５に記載の包装物。
【考案の詳細な説明】
【技術分野】
【０００１】
本考案は、製品をフィルムで包装するための包装装置、及び製品をフィルムで包装した包装物に関する。
【背景技術】
【０００２】
製品をプラスチックフィルムで包装するための包装装置は、例えば特許文献１に開示されている。この包装装置は、プラスチックフィルムを供給ロールから供給して、供給コンベアによって製品を送り、製品がフィルムおよびクロスシール機構を横切り、サイドシール機構に送られる。このように、クロスシール機構およびサイドシール機構によって、プラスチックフィルムを製品のまわりでヒートシールして包装するようになっている。
【０００３】
従って、従来の包装装置は、クロスシール機構およびサイドシール機構を組み込む必要があるため複雑な構造となっていた。また、従来の包装装置を使って製品を包装した包装物は、製品のまわりでプラスチックフィルムをヒートシールしているので、製品を取り出す際に、プラスチックフィルムを破らなければならず、取り出し難いことがあった。
【先行技術文献】
【特許文献】
【０００４】
【特許文献１】特開２００５−５９９３９号公報
【考案の概要】
【考案が解決しようとする課題】
【０００５】
そこで、本考案が解決しようとする課題は、クロスシール機構およびサイドシール機構を組み込む必要がないシンプルな構造の包装装置、及び製品を簡単に取り出すことができる包装物を提供することである。
【課題を解決するための手段】
【０００６】
上記課題を解決するために、本考案が提供する包装装置は、
重ね合わされたフィルムの間に製品を挟んで包装するための包装装置であって、
製品を送る製品送り手段と、製品送り手段で送られる製品を挟むようにフィルムを供給するフィルム供給手段とを備え、
重ね合わされたフィルムの内面が、所定圧力によって自己付着する自己付着面からなり、フィルム供給手段は、自己付着面が互いに対向するようにフィルムを供給して製品の外側で重ね合わせ、
さらに、製品を挟んだフィルムにおける重ね合わせ部を所定圧力で押圧する押圧手段を備えている。
【０００７】
好ましくは、押圧手段は、製品を挟んだフィルムを連続的に押圧する押圧ローラーからなり、押圧面が弾性部材からなる。
【０００８】
好ましくは、製品送り手段は、製品を所定間隔で送り、押圧手段は、送られる製品の間隔毎に、製品を挟んだフィルムを押圧する押圧ピストンからなり、押圧面が製品に対応する部分で窪んでいる。
【０００９】
好ましくは、フィルムは、腰のあるプラスチック製シート部材からなり、自己付着面が鏡面仕上げしてなる。
【００１０】
また、本考案が提供する包装物は、
重ね合わされたフィルムの間に製品を挟んで包装した包装物であって、
重ね合わされたフィルムの内面が、所定圧力によって自己付着する自己付着面からなり、自己付着面が互いに対向するように製品を挟むと共に、製品の外側に形成された重ね合わせ部で自己付着してなる。
【考案の効果】
【００１１】
上記の通り、本考案に係る包装装置では、重ね合わされたフィルムの内面が、所定圧力によって互いに自己付着する自己付着面からなる。そして、自己付着面が互いに対向するようにフィルムで製品に挟んで、製品のまわりでフィルムを重ね合わせ、この重ね合わせ部を押圧手段によって所定圧力で押圧する。これにより包装物を製造する。従って、本考案に係る包装装置は、クロスシール機構及びサイドシール機構を組み込む必要がないので非常にシンプルな構造になっている。
【００１２】
また、本考案に係る包装物は、上記のフィルムで自己付着面が互いに対向するように製品を包装して、製品のまわりにおけるフィルムの重ね合わせ部を所定圧力で自己付着してなる。従って、フィルムの重ね合わせ部を所定の力で剥すだけで、製品を簡単に取り出すことができる。
【図面の簡単な説明】
【００１３】
【図１】包装物を示す図。
【図２】包装装置の第１実施形態を示す側面図。
【図３】包装装置の第２実施形態を示す側面図。
【考案を実施するための形態】
【００１４】
以下、図面に基づいて、本考案に係る包装装置及び包装物について説明する。
【００１５】
先ず、本考案に係る包装物について説明する。
図１の通り、包装物１０は、製品１が透明な上側フィルム２と下側フィルム３とで挟まれて構成されている。上側フィルム２および下側フィルム３は、重ね合わさる内面が所定圧力によって自己付着する自己付着面２ａ，３ａからなっている。フィルム２，３は、例えば腰のあるプラスチック製シート部材からなっており、自己付着面２ａ，３ａは凹凸のない平坦な鏡面仕上げがなされている。これにより、フィルム２，３は、自己付着面２ａ，３ａを互いに対向するように重ね合わせ、この重ね合わせ部分に所定圧力を付与することで、自己付着面２ａ，３ａ同士が付着するようになっている。
【００１６】
上側フィルム２および下側フィルム３は、製品１よりも大きな矩形状で構成されている。従って、各フィルム２，３で製品１を挟み、製品１のまわりにフィルム２，３の重ね合わせ部２５を形成する。この重ね合わせ部２５に所定圧力を付与することで、各フィルム２，３が自己付着面２ａ，３ａで付着している。これにより、製品１は各フィルム２，３によって包装される。
【００１７】
上記の通り、包装物１０は、重ね合わせ部２５における各フィルム２，３の自己付着力によって製品１を包装する。従って、製品１が扁平であれば重ね合わせ部２５の面積を大きくできるので好ましい。また、包装物１０は、自己付着面２ａ，３ａによる付着力よりも大きな力で各フィルム２，３を剥すだけで簡単に製品１を取り出せる。よって、包装物１０は、製品１が、外圧による影響を受けやすい、例えばチーズ、バター、かまぼこ等の食料品等に好ましい。
【００１８】
次に、本考案に係る包装装置の第１実施形態について説明する。
図２の通り、包装装置は、製品１を送るための第１送りコンベア４（製品送り手段）を備える。第１送りコンベア４は、無端ベルト上に所定間隔ごとに載置された製品１を送り方向（図矢印方向）へ送る。包装装置は、製品１を包装する上側フィルム２及び下側フィルム３を供給するための上側供給ロール２０及び下側供給ロール３０（フィルム供給手段）を備える。
【００１９】
上側供給ロール２０は、製品１の上側を覆う上側フィルム２を供給する。上側フィルム２は、送られる製品１の上側に設けられた上側ローラー２１を介して、製品１の上側に導入される。下側供給ロール３０は、製品１の下側を覆う下側フィルム３を供給する。下側フィルム３は、送られる製品１の下側に設けられた下側ローラー３１を介して、製品１の下側に導入される。
【００２０】
包装装置は、第１送りコンベア４の送り方向側に第２送りコンベア５（製品送り手段）が設けられている。製品１は、第１送りコンベア４によって、上側ローラー２１と下側ローラー３１との間を通過する。そして、送られた製品１は、上側フィルム２と下側フィルム３とに挟まれて、第２送りコンベア５に渡される。その後、各フィルム２，３で挟まれた製品１は、第２送りコンベア５で送り方向（図矢印方向）へ送られる。上側フィルム２と下側フィルム３は、上記した重ね合わせ部２５（図１）を形成するため、製品１のまわりではみ出て、重ね合わさっている。
【００２１】
包装装置は、第２送りコンベア５の上側に押圧ローラー７を備える。包装装置は、さらに、押圧ローラー７の下側に押え台７０を備える。押え台７０は、第２送りコンベア５における上側無端ベルトの下側に配置される。これにより、押圧ローラー７と押え台７０との間を、第２送りコンベア５における上側無端ベルトが流れる。また、押圧ローラー７は、バネ等の付勢手段や自重等によって、押え台７０を押えるようになっている。押圧ローラー７は周面７ａが押圧面となり、周面７ａはスポンジやゴム等の比較的柔らかな弾性部材で構成されている。
【００２２】
製品１は、上側フィルム２と下側フィルム３とに挟まれた状態で、第２送りコンベア５で送られる。各フィルム２，３は、製品１よりも幅広ではみ出ており、はみ出た部分で重ね合わさっている。そして、各フィルム２，３で挟まれた製品１は、押圧ローラー７と押え台７０との間を通過する。このとき、押圧ローラー７は、押え台７０を下板として、製品１とフィルム２，３とを所定圧力で押圧する。そして、上記した通り、押圧ローラー７は、周面７ａが弾性部材で構成されているので、製品１の形状に合わせて窪み、製品１のまわりにおけるフィルム２，３の重ね合わせ部２５（図１）に所定圧力が付与される。
【００２３】
これによって、製品１の外側におけるフィルム２，３の重ね合わせ部分２５は、互いに対向する自己付着面２ａ，３ａ同士で付着する。包装装置は、第２送りコンベア５の送り方向側にカッター６を備えている。製品１を包装したフィルム２，３は、押圧ローラー７によって押圧された後、第２送りコンベア５によって送られ、カッター６を動作させて、連続して送られるフィルム２，３を各製品１ごとに所定の間隔で切断する。これにより包装物１０が製造される。
【００２４】
次に、本考案に係る包装装置の第２実施形態について説明する。なお、第２実施形態は上記した第１実施形態と類似しているので、第１実施形態と異なる部分について詳細に説明する。
【００２５】
図３の通り、第２実施形態の包装装置は、押圧ローラー７の代わりに押圧ピストン７１を備える。押圧ピストン７１は、下面７１ａが押圧面となり、周期的に上下移動するようになっている。さらに、押圧ピストン７１は、下面７１ａが製品１に対応する部分で窪んだ凹部７１ｂを備える。凹部７１ｂは、押圧ピストン７１が下降すると、送られる製品１をすっぽりと覆うようになっている。
【００２６】
押圧ピストン７１は、第２送りコンベア５によって送られる製品１の間隔に合わせて上下移動する。即ち、製品１が押圧ピストン７１の直下に送られたときに、押圧ピストン７１が下降し、送られる製品１を凹部７１ｂが覆い、凹部７１ｂのまわりの下面７１ａが各フィルム２，３の重ね合わせ部２５を所定圧力で押圧するようになっている。その後、押圧ピストン７１は上昇して、順次に送られる製品１のタイミングに合わせて上下動する。これにより、押圧ピストン７１は、製品１に圧力を加わえることなく、フィルム２，３にのみ所定圧力を付与し、重ね合わせ部２５で自己付着することができる。
【符号の説明】
【００２７】
１  製品
２  上側フィルム
３  下側フィルム
２ａ，３ａ  自己付着面
２５  重ね合わせ部
１０  包装物
２０  上側供給ロール
３０  下側供給ロール
４  第１送りコンベア
５  第２送りコンベア
６  カッター
７  押圧ローラー
７１  押圧ピストン
【図１】
0003157570.tif 000003
【図２】
0003157570.tif 000004
【図３】
0003157570.tif 000005
【手続補正書】
【提出日】平成21年12月4日(2009.12.4)
【手続補正１】
【補正対象書類名】実用新案登録請求の範囲
【補正対象項目名】全文
【補正方法】変更
【補正の内容】
【実用新案登録請求の範囲】
【請求項１】
重ね合わされたフィルムの間に製品を挟んで包装した包装物であって、
前記重ね合わされたフィルムの内面が、所定圧力によって自己付着する自己付着面からなり、前記自己付着面が互いに対向するように前記製品を挟むと共に、前記製品の外側に形成された重ね合わせ部で自己付着してなることを特徴とする包装物。
【請求項２】
前記フィルムは、腰のあるプラスチック製シート部材からなり、前記自己付着面が鏡面仕上げしてなることを特徴とする請求項１に記載の包装物。
【請求項３】
請求項１に記載の包装物を製造するための包装装置であって、
前記製品を送る製品送り手段と、前記製品送り手段で送られる前記製品を挟むように前記フィルムを供給するフィルム供給手段とを備え、
前記フィルム供給手段は、前記自己付着面が互いに対向するように前記フィルムを供給して前記製品の外側で重ね合わせ、
さらに、前記製品を挟んだ前記フィルムにおける前記重ね合わせ部を前記所定圧力で押圧する押圧手段を備えていることを特徴とする包装装置。
【請求項４】
前記押圧手段は、前記製品を挟んだ前記フィルムを連続的に押圧する押圧ローラーからなり、押圧面が弾性部材からなることを特徴とする請求項３に記載の包装装置。
【請求項５】
前記製品送り手段は、前記製品を所定間隔で送り、前記押圧手段は、送られる前記製品の間隔毎に、前記製品を挟んだ前記フィルムを押圧する押圧ピストンからなり、押圧面が前記製品に対応する部分で窪んでいることを特徴とする請求項３に記載の包装装置。